(57)【要約】【課題】本件はアンテナを備えた電子機器に関し、内蔵されたアンテナを、そのアンテナから離れた位置に配置した操作部材の操作で外に出すことを可能にする。【解決手段】筐体の側面部に設けられたアンテナ収容溝内に収容された状態と、筐体外部に突出した状態との間で回動するアンテナユニット５０と、スライド操作を受ける操作部材６０と、その操作部材６０へのスライド操作を受けて回動しアンテナユニット５０を押し出すレバー部材６１とを有する。【選択図】        図５
2010093654.tif 000002
【特許請求の範囲】
【請求項１】
矩形形状の板部と該板部から立設した側面部とを有し、該側面部にスライド操作部材配置用の操作開口と該側面部の延在方向に延びるアンテナ収容溝とが形成され内部に電子部品が収容された筐体と、
前記アンテナ収容溝の一方の端部に隣接した前記筐体内側において該アンテナ収容溝の幅方向に立設した突部と、
前記アンテナ収容溝に入り込む長さを有する板片形状を有し無線通信用のアンテナを含むアンテナユニットであって、一方の端部に、該アンテナユニットの表裏に貫通して前記突部の挿通を受ける挿通孔を有し、該挿通孔への該突部の挿通を受けて該アンテナ収容溝内に収容され、前記突部を回転軸にして回転させることにより前記筐体から突出するアンテナユニットと、
前記操作開口に前記筐体内外に跨って配置され、スライド操作を受ける操作片を該筐体外部に有する操作部材と、
前記筐体内部に配置され、回動軸を有し、一端部に前記操作部材の動きを受ける係合部を有するとともに他端部に前記アンテナユニットに作用する作用部を有し、前記操作片が受けたスライド操作により該回動軸の回りに回動して前記筐体内に収容されている前記アンテナユニットを前記作用部で該筐体から押し出すレバー部材とを備えたことを特徴とする電子機器。
【請求項２】
前記レバー部材は、前記板部と平行、かつ前記操作片のスライド方向に対し垂直に延びる回動軸の回りに回動するものであることを特徴とする請求項１記載の電子機器。
【請求項３】
前記レバー部材は、前記回動軸が形成された基体を有し、前記係合部および前記作用部は、該基体の、それぞれ前記操作部材側および前記アンテナユニット側において前記板部に対し立設した形状を有することを特徴とする請求項１又は２記載の電子機器。
【請求項４】
前記側面部が、矩形形状の１つの角部で互いに接する第１の側面部および第２の側面部を有し、該第１の側面部に前記アンテナ収容溝が形成され、該第２の側面部に前記操作開口が形成されていることを特徴とする請求項１から３のうちのいずれか１項記載の電子機器。
【請求項５】
前記アンテナユニットは、前記一方の端部が前記１つの角部側に位置する向きに配置されたものであり、
前記操作部材の前記作用部は、前記アンテナユニットの、前記挿通孔よりも、前記一方の端部の対極に位置する他方の端部側に寄った部分に作用するものであることを特徴とする請求項１から４のうちのいずれか１項記載の電子機器。
【発明の詳細な説明】
【技術分野】
【０００１】
本件は、アンテナを備えた電子機器に関する。
【背景技術】
【０００２】
近年では、携帯電話機だけでなく、例えばノート型パーソナルコンピュータ（以下、「ノートＰＣ」と略記する）や、矩形の板形状を有し、上面に表示画面が固定されたタイプの、いわゆるスレート型パーソナルコンピュータ（以下、「スレートＰＣ」と略記する）などにもアンテナが内蔵されており、無線によるデータ通信を可能にしている。ここで、ノートＰＣ,スレートＰＣや携帯電話機などの電子機器は、装置の小型、軽量化が強く要求されている。また、一方では画像を表示する表示画面の大型化に対する要求も強く、薄型で軽量な液晶パネルを使った表示画面を備えたり、筐体の枠ぎりぎりまで広がった表示画面を備えることなどが行われている。
【０００３】
ところで、携帯電話機に限らず、ノートＰＣやスレートＰＣ等にも、液晶パネルの脇などにアンテナが内蔵され、無線通信機能が搭載されたものが増えてきている。しかし、使用場所などによっては電波の強度が不十分となることもあり、筐体外に露出するアンテナが必要となることがある。ただし、筐体外に常に露出していると邪魔になるため、筐体内に収容し、かつ必要に応じて外に露出させる必要がある。
【０００４】
ここで、筐体内に収容されているアンテナを外に露出させるにあたっては、操作部材を備えてその操作部材を操作することによりアンテナを外に露出させることが考えられる。しかしながら小型化等の要請からスペース的に余裕がない中で操作部材をアンテナの近傍に配置しなければならない場合、その他の部品や部材の配置位置が制限され、最適なレイアウトが不能となるおそれがある。このため、操作部材の配置位置の自由度を高めることが求められる。
【０００５】
ここで、収納、引出し自在なロッドアンテナを備え、引出した状態でロッドアンテナの角度を変えることのできる機器が開示されている（特許文献１）。
【０００６】
また、側面外部に回動可能なアンテナを取り付けたノートＰＣが開示されている（特許文献２）。
【特許文献１】特開平５−１４０２７号公報
【特許文献２】特開２００１−６７１３９号公報
【発明の開示】
【発明が解決しようとする課題】
【０００７】
本件開示の電子機器の課題は、内蔵されたアンテナを、そのアンテナから離れた位置に配置した操作部材の操作で外に出すことを可能にすることにある。
【課題を解決するための手段】
【０００８】
本件開示の電子機器は、
矩形形状の板部とその板部から立設した側面部とを有し、側面部にスライド操作部材配置用の操作開口と側面部の延在方向に延びるアンテナ収容溝とが形成され内部に電子部品が収容された筐体と、
上記アンテナ収容溝の一方の端部に隣接した上記筐体内側においてアンテナ収容溝の幅方向に立設した突部と、
アンテナ収容溝に入り込む長さを有する板片形状を有し無線通信用のアンテナを含むアンテナユニットであって、一方の端部に、そのアンテナユニットの表裏に貫通して上記突部の挿通を受ける挿通孔を有し、その挿通孔への突部の挿通を受けてアンテナ収容溝内に収容され、突部を回転軸にして回転させることにより筐体から突出するアンテナユニットと、
上前記操作開口に上記筐体内外に跨って配置され、スライド操作を受ける操作片を筐体外部に有する操作部材と、
筐体内部に配置され、回動軸を有し、一端部に上記操作部材の動きを受ける係合部を有するとともに他端部に上記アンテナユニットに作用する作用部を有し、上前記操作片が受けたスライド操作により上記回動軸の回りに回動して筐体内に収容されているアンテナユニットを作用部で筐体から押し出すレバー部材とを備えている。
【０００９】
本件開示の電子機器によれば操作部材へのスライド操作をレバー部材で回転運動に変換してアンテナユニットを押し出すことにより、アンテナユニットから離れた位置に操作部材を配置することができる。
【発明の効果】
【００１０】
本件開示の電子機器によれば、アンテナから離れた位置に配置した操作部材の操作でアンテナを外に出すことができる。
【発明を実施するための最良の形態】
【００１１】
以下、本件の発明の実施形態を説明する。
【００１２】
図１は、本件の一実施形態としてのスレートＰＣの、表示画面側を示した斜視図である。また図２は、図１に示すスレートＰＣの、底面側を示した斜視図である。
【００１３】
このスレートＰＣ１０は、筐体２０と、表示画面３０と、その表示画面３０を取り巻いて表示画面３０とともに筐体２０を覆う、枠形状の蓋体４０とを備えている。
【００１４】
筐体２０は、図２に示すように、このスレートＰＣ１０の底面を形成する略矩形形状の板部２１と、その板部２１から立設した側面部２２とを有する。
【００１５】
側面部２２には、図１に示すように、側面部２２の延在方向に延びるアンテナ収容溝２３が形成されている。このアンテナ収容溝２３内には、後述するアンテナユニットが収容されている。また、筐体２０の側面部２２には、図１に示されている構成要素として、オーディオ端子２２１、ＵＳＢ端子２２２、スピーカ放音部２２３、ＬＡＮ端子２２４、セキュリティスロット２２５、およびＤＣ電源端子２２６が備えられている。また、図２に示すように、筐体２０の底面２１には、筐体内部のＨＤＤ（ハードディスクドライブ）や通信用回路等を覆う蓋２１１がネジ止めされている。また、図１に示す蓋体４０には、各種のスイッチ類４０１や指紋センサ４０２が備えられている。さらに、このスレートＰＣ１０には、バッテリ５０が装着されている。
【００１６】
図３は、筐体内部を示す斜視図である。
【００１７】
図３には、本実施形態で着目している構成として、板片形状のアンテナユニット５０や、そのアンテナユニット５０を外に押し出すための操作部材６０、レバー部材６１が示されている。詳細は後述する。また、この図３には、さらに、演算処理を実行するための各種回路部品が搭載されたメイン基板７０、空冷用のファン７１などが配置されている。また、この図３に示されている開口７２には、図４に示す底面側からＨＤＤ（図示せず）が配置される。
【００１８】
アンテナユニット５０は、その一端部に、表裏に貫通して突部８１の挿通を受ける挿通孔５１が形成されている。筐体２０内には、突部８１が形成された金具８０が備えられている。アンテナユニット５０は、挿通孔５１への突部８１の挿通を受け、その突部８１を回転軸として、図３に示す、筐体２０内に収納された収納状態と、後述する、筐体２０から突出した突出状態との間で回動する。
【００１９】
また、このアンテナユニット５０の、挿通孔５１が形成された側の端部には、ケーブル５２の一端が接続されている。このケーブル５２は、挿通孔５１を周回してから、筐体２０のさらに内部へと延びている。ケーブル５２の、挿通孔５４を周回している部分の周回方向は、アンテナユニット５０が収納状態から突出状態に回動したときに巻き緩む方向である。また、この図３では取り外されているが、ケーブル５２の、挿通孔５１の周りを周回している部分の上には、ケーブルガイド部材が置かれ、突部８１に形成されたネジ穴８１１を使って突部８１にネジ止めされている。このケーブルガイド部材の詳細についても後述する。
【００２０】
また、操作部材６０は、スライド式の操作部材であり、筐体２０の角部２０１側へのスライド操作を受ける。このスライド操作の方向は、アンテナユニットの突出の方向と一致し、したがって直感的な操作が可能である。この操作部材６０を筐体２０の角部２０１に向けてスライド操作すると、そのスライド操作がレバー部材６１に伝えられ、そのレバー部材６１が収納状態にあるアンテナユニット５０を押して、アンテナユニット５０を少し回動させる。アンテナユニット５０が少し回動して一部が筐体２０の外に出ると、その後はアンテナユニット５０を指で回すことにより、突出状態にまで回動する。
【００２１】
図４は、図３に示す状態にまで分解したときの筐体底面を示す斜視図である。
【００２２】
図４には、図３にも示す開口７２が示されており、この開口７２の周囲を台にしてＨＤＤ（図示せず）が配置される。また、その隣には、メイン基板７０上に搭載された通信モジュール７３が示されている。図３に示すケーブル５２は、アンテナユニット５０と通信モジュール７３との間を接続しているケーブルである。
【００２３】
図５には、アンテナユニットが途中まで回動した状態を示す斜視図である。
【００２４】
この図５には、突部８１（図３参照）が形成された金具８０のほか、もう１つの金具８２が示されている。この金具８２は、収納状態にあるアンテナユニット５０の台としての役割りのほか、アンテナユニット５０が突出状態にあるときにアンテナ収容溝２２から筐体２０の内部が見えてしまうのを避ける目隠しの役割りを担っている。
また、この図５に示すようにアンテナユニット５０は、その先端側に突起５０１ａ,５０１ｂを有し、収納状態にあるときは、片持ち梁形状の係止部８３１に一方の突起５０１ａが係止している。アンテナユニット５０が後述するようにして押されると、係止部８３１との係止が外れてアンテナユニット５０が突出方向に少し回動し、もう一方の突起５０１ｂが筐体２０の外に出る。その後は、その突起５０１ｂに指の爪を掛けてアンテナユニット５０を突出状態にまでさらに引き出す。この実施形態では、アンテナユニット５０は収納状態から約１２０度回転することにより突出状態となる。
【００２５】
さらに、この図５には、ケーブルガイド部材５４が示されている。このケーブルガイド部材５４は、前述したように、ケーブル５２の、アンテナユニット５０の挿通孔５１（図３参照）を周回する部分を押える役割りを担っている。
【００２６】
以下、このケーブルガイド部材５４の詳細について説明する。
【００２７】
図６は、ケーブルガイド部材単体を示した斜視図である。また図７は、ケーブルガイド部材を上下逆にして示した斜視図である。また図８は、ケーブルガイド部材が取り外された状態の、アンテナユニットの挿通孔の部分を示した斜視図である。図９は、ケーブルガイド部材５４を固定した状態を示した斜視図である。
【００２８】
ケーブルガイド部材５４は、ケーブル５２を透かす透明樹脂からなり、板部５４１と側壁部５４２を有する。板部５４１は、ケーブル５２の、アンテナユニット５０の挿通孔５１の囲りを周回した部分を、アンテナユニット５０との間に挟む役割りを担っている。また側壁部５４２は、板部５４１の周縁からアンテナユニット５０に向かって立設して、ケーブル５２の、挿通孔５１の囲りを周回した部分を取り囲む役割りを担っている。側壁部５４２には、ケーブル５２をケーブルガイド部材５４の外に延ばすための開口５４２ａが形成されている。また、このケーブルガイド部材５４の中央には、取付穴５４３が設けられている。このケーブルガイド部材５４は、図９に示すように、この取付穴５４３に挿通して突部８１のネジ穴８１１に締結されたネジ部材８３により、突部８１に固定される。
【００２９】
このケーブルガイド部材５４は、透明樹脂で形成されているため、ケーブル５２の上に乗せてもケーブル５０の状態を視認することができる。このため、ケーブル５２を正しく押えることができる。ケーブルガイド部材５４をケーブル５２の上に乗せネジ部材８３で固定したあと、筐体２０には図１に示す蓋体４０が置かれて固定される。その蓋体４０の固定の際にも、筐体２０と蓋体４０との間にケーブル５２が不用意に挟み込まれて組立不良となることが防止され、ケーブル５０が挟み込まれることによる断線も防止される。
【００３０】
次に、収納状態にあるアンテナユニットを外に出すための構造について説明する。ここでは、再度、図８および図９を参照して説明する。
【００３１】
筐体２０の、アンテナ収容溝２２が形成された側面部に対し角部２０１を挟んで接するもう１つの側面部に操作開口２８が形成されている。この操作開口２８には筐体２０の内外に跨って操作部材６０が配置される。この操作部材６０は、筐体２０の側面部２２の外側に配置されて人の指によるスライド操作を受ける操作片６０１と、その操作片６０１から操作開口２８を通って筐体２０の内側に延びるフォーク状の２本の腕部６０２とを有する。２本の腕部６０２は、レバー部材６１の、操作部材６０側の一端部に形成された係合部６１１を挟んでいる。レバー部材６１は、操作片６０１の広がる面に垂直に筐体２０内に水平に延びる回動軸を有する。そこで操作片６０１が筐体２０の角部２０１の方向にスライド操作されると腕部６０２も同じ方向に動き、レバー部材６１の係合部６１１が角部２０１側に傾く。すると、レバー部材６１の、係合部６１１とは反対側の端部に形成された作用部６１２もアンテナユニット５０側に傾れて、その作用部６１２が、アンテナユニット５０の、挿通孔５１（例えば図３参照）よりも、その挿通孔５１が形成された端部とは反対側の端部にやや寄った位置を押す。前述したようにアンテナ５０は、その先端両側に突起５０１ａ,５０１ｂ（図５参照）を有し、収納状態にあるときは一方の突起５０１ａが片持ち梁形状の係止部８３に係止している。アンテナユニット５０が押されるとその係止部８３との係止が解除されてアンテナユニット５０が突出方向に少し回動し、もう一方の突起５０１ｂに爪を掛けてアンテナユニットを引き出す。
【００３２】
このように、操作部材６０のスライド操作をレバー部材６１で回動の動きに変換してアンテナユニット５０を押し出しているため、この実施形態のように、アンテナ収容溝２２と操作開口２８を別々の側面部に設けるなど、操作部材６０をアンテナユニット５０から離れた位置に配置することができる。また、このように操作部材６０をアンテナユニット５０から離れた位置に配置しても、この実施形態は良好な操作性を提供できる。
【００３３】
図１０は、突部を有する金具とレバー部材との組立状態を示した斜視図である。また、図１１は、図１０の組立状態を上下逆に示した斜視図である。
【００３４】
金具８０の突部８１は、前述した通り、アンテナユニット５０の挿通孔５１（例えば図８参照）に挿通されてアンテナユニット５０の回転軸となっている。また、この金具８０は、レバー部材６１の回動中心となるピン６１３ａを受け入れる穴８０１を有する。
【００３５】
レバー部材６１は、回動中心となるピン６１３ａを備えた基体６１３を有し、その基体６１３の操作部材６０（図８,図９参照）側において立設した係合部６１１とアンテナユニット５０（図８,図９参照）側において立設した作用部６１２を有する。
【００３６】
係合部６１１は、図８に示しように、操作部材６０の２本の腕部６０２に挟まれている。操作部材６０へのスライド操作により操作部材６０が矢印Ｘ方向に移動すると、レバー部材６１は、金具８０の穴８０１に挿入されているピン６１３ａを中心にＹ方向に回動する。この回動により、突部８１が挿通されているアンテナユニット５０がレバー部材６１の作用部６１２で押されて少し回動しアンテナユニット５０の先端が一部筐体２０の外に出る。その後、指の爪を掛けて引き出される。
【００３７】
図１２は、アンテナユニットの分解図である。
【００３８】
このアンテナユニット５０は、下カバー５０１、アンテナ５０２、上カバー５０３で構成されている。下カバー５０１には、その一端部に貫通孔５０１ｃが形成されている。アンテナ５０２および上カバー５０３には、下カバー５０１の貫通孔５０１ｃに対応する位置に、それぞれ貫通孔５０２ｃ,５０３ｃが形成されている。また、下カバー５０１は、貫通孔５０１ｃが形成された端部とは反対側の端部の先端両側に突起５０１ａ，５０１ｂを有する。アンテナユニット５０は、下カバー５０１にアンテナ５０２が嵌め込まれ、さらに上カバー５０３が装着されて組み立てられている。下カバー５０１および上カバー５０３は、例えば、エラストマ、ゴム（ＮＢＲ、シリコンゴム、ＣＲ）、ＰＥＴ、ＰＣ等のフレキシブル材で形成される。また、アンテナ５０２は、ＦＰＣアンテナ、基板アンテナ、板金アンテナなど、任意のものを採用することができる。
【００３９】
図１３は、組み立てられた状態のアンテナユニット５０の回転中心の部分を、上カバー側から見たときの斜視図である。
【００４０】
図１３に示すように、アンテナユニット５０には、図１２に示す３つの貫通孔５０１ｃ,５０２ｃ,５０３ｃからなる挿通孔５１が形成されている。軸受金具５０４が挿通孔５１の縁を形成しており、この軸受金具５０４には、挿通孔５１を取り巻く４つの凹部５０４ａが形成されている。
【００４１】
ここで、この図１３に示すアンテナユニット５０は上下逆向きであり、軸受金具５０４の凹部５０４ａが下向きとなるように突部８１（例えば図１０参照）が挿通される。
【００４２】
図１４は、係止金具の斜視図である。
【００４３】
この係止金具８５は、アンテナユニット５０の挿通孔５１に挿通される突部８１（例えば図１０参照）に、アンテナユニット５０よりも先に挿通されて、金具８０とアンテナユニット５０とに挟まれて配置される。この係止金具８５は突出状態に移動したアンテナユニット５０をその突出状態に保つための部材である。この係止金具８５は、中央に、突部８１に挿通される開口８５１を有し、周囲に、３本の足部８５２,８５３,８５４と１つの係止凸部８５５を有する。この図１４では、係止金具８５が上下逆向きに示されており、この係止金具８５は、突部８１に挿通されて３本の足部８５２,８５３,８５４でこの係止金具８５自身を支持する。その上にアンテナユニット５０の軸受金具５０４が配置される。
【００４４】
アンテナユニット５０は、突出状態に回動したときにアンテナユニット５０の軸受金具５０４の凹部５０４ａ（図１３参照）の１つに係止金具８５の係止凸部８５５が入る込んだ状態となる。このためアンテナユニット５０は、突出状態で安定的に固定されるとともに、そのアンテナユニット５０を収納状態の方向に押すと、係止凸部８５５との係止が解除されて自由に回転できる状態となる。
【００４５】
図１５は、アンテナ収容溝の内部を、アンテナユニットを取り外して示した斜視図である。
【００４６】
図５を参照して説明したように、アンテナユニット５０は、突部８１に挿通されて回転し、収納状態にあるときは、金具８２の上に置かれる。このとき、このアンテナユニット５０の先端の一方の突出５０１ａ（図１２参照）が片持ち梁形状の係止部８３に係止しアンテナユニット５０は安定的に収納状態にとどまる。
【００４７】
図１６は、アンテナ収容溝の内部構造の変形例を示した斜視図である。
【００４８】
ここでは、図１５に示す係止部８３１は設けられておらず、それに代わり、金具８２の上にシート材８６が貼付されている。このシート材８６は、収納状態にあるアンテナユニット５０との間に摩擦を生じさせアンテナユニット５０を収納状態で安定させる役割りを担っている。
【００４９】
図１５に示す係止部８３１を備えることに代わり、このシート材８６によってもアンテナユニット５０を安定的に収納状態に留め、不用意な回転を防止することができる。
【００５０】
次にケーブルガイド部材の第２例について説明する。
【００５１】
図１７は、アンテナ収容溝内側に収容されたアンテナユニットと、取り外された状態のケーブルガイド部材を示す図である。この図１７およびそれ以降の各図において、分かり易さのため、これまでの各図における要素と共通の要素には、形状等の相違があっても同一の符号を付して示している。
【００５２】
アンテナユニット５０は、一端部に形成された挿通孔５１に突部８１が挿通された状態で収容されている。そのアンテナユニット５０の挿通孔５１が形成された側の端部にはケーブル５２の一端が接続され、そのケーブル５２は挿通孔５1の周りを周回してから筐体２０の内部に延びている。
【００５３】
ここで、ケーブルガイド部材５４は、不透明な樹脂からなり、ケーブルの周回した部分を上から押える板部を有し、中央に取付穴５４２が形成されている。ただし、このケーブルガイド部材５４には、前掲のケーブルガイド部材（図６，図７参照）に設けられていた側面部５４２は設けられていない。
【００５４】
また、この図１７には、蓋体４０の一部も示されている。この蓋体４０には、突部８１のネジ穴８１１およびケーブルガイド部材５４の取付穴５４２と連通する固定穴４９が設けられている。
【００５５】
図１８は、ケーブルの周回部分にケーブルガイド部材を乗せた状態を示した斜視図である。
【００５６】
この状態では、ケーブルガイド部材５４はケーブル５２の周回した部分を押えてその周回した状態を維持しているが、まだネジ止めはなされてない。
【００５７】
この図１８の状態のあと、蓋体４０が被せられ、その後、蓋体４０とともにネジ止めされる。
【００５８】
図１９は、蓋体がネジ止めされた状態を示す斜視図である。
【００５９】
蓋体４０と、その内側のケーブルガイド部材５４（図１８参照）がネジ部材８３により突部８１（図１８参照）に固定されている。
【００６０】
図２０は、蓋体の内側の一部を示した斜視図である。
【００６１】
この蓋体４０の内面には、固定穴４９の囲りに円環形状の突部４８が形成されており、この突部４８でケーブルガイド部材５４が押圧される。
【００６２】
またこの蓋体４０の内壁面にも突部４７が形成されており、この突部４７も、ケーブル周回部分の巻き緩み防止の役割りを担っている。
【００６３】
ここで、図１７〜図２０に示す例では、アンテナ収容溝２２は、ケーブル５２の周回した部分を取り巻くように延びている。このため、ケーブル５２は、その周回部分がアンテナユニット５０の挿通孔５１から外れてケーブル５２が大きく動いてしまわない限り、ケーブル５２が筐体２０と蓋体４０との間に挟まれることはない。ここでは、ケーブルガイド部材５４を乗せるだけでケーブル５２の周回部分がアンテナユニット５０の挿通孔５１から外れることが防止され、ケーブル５２が筐体２０と蓋体４０との間に挟まれることが防止される。
【００６４】
尚、ここではスレートＰＣを例に挙げて説明したが、本件は例えばノートＰＣやその他の電子機器にも同様に適用することができる。
【図面の簡単な説明】
【００６５】
【図１】本件の一実施形態としてのスレートＰＣの、表示正面側を示した斜視図である。
【図２】図１に示すスレートＰＣの、底面側を示した斜視図である。
【図３】筐体内部を示す斜視図である。
【図４】図３に示す状態にまで分解したときの筐体底面を示す斜視図である。
【図５】アンテナユニットが途中まで回動した状態を示す斜視図である。
【図６】ケーブルガイド部材単体を示した斜視図である。
【図７】ケーブルガイド部材を上下逆にして示した斜視図である。
【図８】ケーブルガイド部材が取り外された状態の、アンテナユニットの挿通孔の部分を示した斜視図である。
【図９】ケーブルガイド部材を固定した状態を示す斜視図である。
【図１０】突起を有する金具とレバー部材との組立状態を示した斜視図である。
【図１１】図１０の組立状態を上下逆に示した斜視図である。
【図１２】アンテナユニットの分解図である。
【図１３】組み立てられた状態のアンテナユニットの回転中心の部分を、上カバー側から見たときの斜視図である。
【図１４】係止金具の斜視図である。
【図１５】アンテナ収容溝の内部をアンテナユニットを取り外して示した斜視図である。
【図１６】アンテナ収容溝の内部構造の変形例を示した斜視図である。
【図１７】アンテナ収容溝内側に収容されたアンテナユニットと、取り外された状態のケーブルガイド部材を示す図である。
【図１８】ケーブルの周回部分にケーブルガイド部材を乗せた状態を示した斜視図である。
【図１９】蓋体がネジ止めされた状態を示す斜視図である。
【図２０】蓋体の内側の一部を示した斜視図である。
【符号の説明】
【００６６】
１０    スレートＰＣ
２０    筐体
２１    板部
２２    側面部
２３    アンテナ収容溝
２８    操作開口
３０    表示画面
４０    蓋体
４７,４８    突部
４９    固定穴
５０    アンテナユニット
５１    挿通孔
５２    ケーブル
５４    ケーブルガイド部材
６０    操作部材
６１    レバー部材
７２    開口
８０,８２    金具
８１    突部
８３    ネジ部材
８６    シート材
２０１    角部
５０１    下カバー
５０１ａ,５０１ｂ,    突起
５０１ｃ,５０２ｃ,５０３ｃ    貫通孔
５０２    アンテナ
５０３    上カバー
５０４    軸受金具
５０４ａ    凹部
５４２    側壁部
５４３    取付穴
６０１    操作片
６１１    係合部
６１３    基体
６１３ａ    ピン
８１１    ネジ穴
８５２，８５３，８５４    足部
８５５    係止凸部
【図１】
2010093654.tif 000003
【図２】
2010093654.tif 000004
【図３】
2010093654.tif 000005
【図４】
2010093654.tif 000006
【図５】
2010093654.tif 000007
【図６】
2010093654.tif 000008
【図７】
2010093654.tif 000009
【図８】
2010093654.tif 000010
【図９】
2010093654.tif 000011
【図１０】
2010093654.tif 000012
【図１１】
2010093654.tif 000013
【図１２】
2010093654.tif 000014
【図１３】
2010093654.tif 000015
【図１４】
2010093654.tif 000016
【図１５】
2010093654.tif 000017
【図１６】
2010093654.tif 000018
【図１７】
2010093654.tif 000019
【図１８】
2010093654.tif 000020
【図１９】
2010093654.tif 000021
【図２０】
2010093654.tif 000022